(57)【要約】      （修正有）【課題】洗浄効果及びマッサージ効果の向上が期待でき、通常のシャワーヘッドとの交換も可能なノズル型洗浄器を提供する。【解決手段】筒状ハウジングの一端側にマイクロバブルを混入した水を生成するマイクロバブル水発生装置３を設け、該マイクロバブル水発生装置３の水流入口４をシャワーホースの端部に接続可能となし、生成したマイクロバブル水の流出口６を筒状ハウジングの他端側に設け、ハウジング内に収容した振動モーター７からの振動をハウジングの他端側に取り付けた散水板８に突設した接触子９に伝達して該接触子９を振動させる。【選択図】図２
0003207797.tif 000002
【実用新案登録請求の範囲】
【請求項１】
筒状ハウジングの一端側にマイクロバブルを混入した水を生成するマイクロバブル水発生装置を設け、該マイクロバブル水発生装置の水流入口をシャワーホースの端部に接続可能となし、生成したマイクロバブル水の流出口を筒状ハウジングの他端側に設け、前記ハウジング内に収容した振動モーターからの振動を前記ハウジングの他端側に取り付けた散水板に突設した接触子に伝達して該接触子を振動させることを特徴とするノズル型洗浄器。
【請求項２】
マイクロバブル水発生装置は、ケーシング内に大径の流入口、小径の絞り流路、負圧室及び拡開部を下流に向けて順次同軸に連通形成し、前記負圧室に小径の空気流入路を半径方向外方から連通させ、前記拡開部は下流に向かって次第に大径となる円錐状に形成し、底面を絞り流路と対面する広い面積の衝突壁とし、前記拡開部の底部外周に流出口を形成してなる請求項１に記載のノズル型洗浄器。
【請求項３】
マイクロバブル水発生装置の水流入口にシャワーホースの端部に取り付けた雌型又は雄型継手に着脱自在に係合する雄型又は雌型継手を取り付けた請求項１又は２に記載のノズル型洗浄器。
【請求項４】
ハウジングの他端側に取り付ける散水板は交換可能なものとした請求項１〜３のいずれか１項に記載のノズル型洗浄器。
【請求項５】
散水板はその中心部をストレート流出口又はシャワー流出口に形成した請求項１〜４のいずれか１項に記載のノズル型洗浄器。
【考案の詳細な説明】
【技術分野】
【０００１】
本考案は、マイクロバブル水による高い洗浄効果と振動によるマッサージ効果を有し、通常のシャワーヘッドとの交換も可能なノズル型洗浄器に関する。
【背景技術】
【０００２】
従来、シャワー吐水の勢いを損なうことなく、湯水中にマイクロバブルを確実に混入可能にしたシャワーヘッドが知られている（特許文献１）。マイクロバブル水は高い洗浄効果を有することが知られており、シャンプーなどの洗髪剤を使用しなくても或いは使用量が少なくても洗髪が可能で、洗浄剤に対してアレルギー体質の使用者にとっても有効であると期待される。
また、シャワーヘッド内部に振動モーターを埋め込みシャワーヘッド自体に振動を与えてマッサージ機能を持たせたシャワーヘッドも知られている（特許文献２）。
【０００３】
これらマイクロバブル水による洗浄機能と振動によるマッサージ機能を同時に備えるようにすれば、洗浄効果及びマッサージ効果のさらなる相乗効果も期待され、頭髪（毛髪）の育毛促進効果も期待できることとなる。また、通常のシャワーヘッドとの交換も可能にすれば、その使い分けも可能となり極めて利便性の高いものとなる。
【先行技術文献】
【特許文献】
【０００４】
【特許文献１】特開２０１６−８７１４５号公報
【特許文献２】特開２００４−１１３７２８号公報
【考案の概要】
【考案が解決しようとする課題】
【０００５】
そこで、本考案は、洗浄効果及びマッサージ効果の向上が期待でき、通常のシャワーヘッドとの交換も可能なノズル型洗浄器を提供することを目的とする。
【課題を解決するための手段】
【０００６】
上記の課題を解決するために、請求項１に係る考案は、筒状ハウジングの一端側にマイクロバブルを混入した水を生成するマイクロバブル水発生装置を設け、該マイクロバブル水発生装置の水流入口をシャワーホースの端部に接続可能となし、生成したマイクロバブル水の流出口を筒状ハウジングの他端側に設け、前記ハウジング内に収容した振動モーターからの振動を前記ハウジングの他端側に取り付けた散水板に突設した接触子に伝達して該接触子を振動させること、を特徴としている。
請求項２に係る考案は、マイクロバブル水発生装置は、ケーシング内に大径の流入口、小径の絞り流路、負圧室及び拡開部を下流に向けて順次同軸に連通形成し、前記負圧室に小径の空気流入路を半径方向外方から連通させ、前記拡開部は下流に向かって次第に大径となる円錐状に形成し、底面を絞り流路と対面する広い面積の衝突壁とし、前記拡開部の底部外周に流出口を形成してなるものである。
請求項３に係る考案は、マイクロバブル水発生装置の水流入口にシャワーホースの端部に取り付けた雌型又は雄型継手に着脱自在に係合する雄型又は雌型継手を取り付けたものである。
請求項４に係る考案は、ハウジングの他端側に取り付ける散水板は交換可能なものとしたものである。
請求項５に係る考案は、散水板はその中心部をストレート流出口又はシャワー流出口に形成したものである。
【考案の効果】
【０００７】
請求項１に係る考案は、筒状ハウジングの一端側にマイクロバブルを混入した水を生成するマイクロバブル水発生装置を設け、該マイクロバブル水発生装置の水流入口をシャワーホースの端部に接続可能となし、生成したマイクロバブル水の流出口を筒状ハウジングの他端側に設け、前記ハウジング内に収容した振動モーターからの振動を前記ハウジングの他端側に取り付けた散水板に突設した接触子に伝達して該接触子を振動させるようにしたので、マイクロバブル水による高い洗浄効果と振動によるマッサージ効果を併せ持たせることができる。また、マイクロバブル水発生装置の水流入口をシャワーホースの端部に接続可能としたので、通常のシャワーヘッドと交換して使用することができる。
請求項２に係る考案は、マイクロバブル水発生装置は、ケーシング内に大径の流入口、小径の絞り流路、負圧室及び拡開部を下流に向けて順次同軸に連通形成し、前記負圧室に小径の空気流入路を半径方向外方から連通させ、前記拡開部は下流に向かって次第に大径となる円錐状に形成し、底面を絞り流路と対面する広い面積の衝突壁とし、前記拡開部の底部外周に流出口を形成したので、シャワーホースから圧送される水は、絞り流路を高速で流通し、負圧室に負圧を発生させ、この部で空気流入路から空気を取り込みながら拡開部の内部で空気が水にマイクロバブルの状態で混入したマイクロバブル混入水が効率よく生成されることになる。
請求項３に係る考案は、マイクロバブル水発生装置の水流入口にシャワーホースの端部に取り付けた雌型又は雄型継手に着脱自在に係合する雄型又は雌型継手を取り付けたので、通常のシャワーヘッドとの交換がワンタッチで簡単にできる。
請求項４に係る考案は、ハウジングの他端側に取り付ける散水板は交換可能なものとしたので、所望の形状の接触子をもつ散水板、所望の流出口（ストレート又はシャワー）をもつ散水板との交換が可能となる。
請求項５に係る考案は、散水板はその中心部をストレート流出口又はシャワー流出口に形成したので、所望に応じマイクロバブル水がストレートに流出するストレート流出口のものとシャワー状に流出するシャワー流出口のものとのいずれかを選択して使用することができる。
【図面の簡単な説明】
【０００８】
【図１】本考案の実施例によるノズル型洗浄器の断面図である。
【図２】水の流れを示す断面説明図である。
【図３】振動モーターの結線説明図である。
【図４】交換用散水板の説明図で、（ａ１），（ａ２）は短円錐形の接触子、（ｂ１），（ｂ２）は細い棒状形の接触子、（ｃ１），（ｃ２）は先端にゴムを取り付けた先端ゴム形の接触子を示す。
【図５】シャワーホースへの接続の様子を示す説明図である。
【考案を実施するための形態】
【０００９】
以下、本考案の実施例を図面に基づいて具体的に説明する。本考案の実施例によるノズル型洗浄器１は、筒状ハウジング２の一端側にマイクロバブルを混入した水を生成するマイクロバブル水発生装置３を設け、該マイクロバブル水発生装置３の水流入口４をシャワーホース５の端部に接続可能となし、生成したマイクロバブル水の流出口６を筒状ハウジング２の他端側に設け、ハウジング２内に収容した振動モーター７からの振動をハウジング２の他端側に取り付けた散水板８の外周に突設した接触子９に伝達して該接触子９を振動させるようにしたものである。
【００１０】
マイクロバブル水発生装置３は、空気をマイクロバブルの状態で水に混入させるもので、図１に示すようになっている。ケーシング１０内に大径の流入口４、小径の絞り流路１１、及び拡開部１２を上流から下流に向けて順次同軸に連通形成する。流入口４は継手１３を介してシャワーホース５に接続される（図５）。
絞り流路１１の下流部に段状に大径となる環状の負圧室１４を形成し、該負圧室１４に小径の空気流入路１５を半径方向外方から連通させる。該空気流入路１５の外端部をケーシング１０の外方に連通させる。
拡開部１２は、絞り流路１１の下流端から下流側に向かって次第に大径となる円錐状に形成し、端面は絞り流路１１と対面する広面積の衝突壁１６とする。拡開部１２の端部外周に複数の流出孔１７を形成し、該流出孔１７から拡開部１２内で生成したマイクロバブル混入水をハウジング２の軸心部に設けた流出路１８を通って流出口６から外部に流出させる。
シャワーホース５から圧送される水は、絞り流路１１を高速で流通し、負圧室１４に負圧を発生させ、この部で空気流入路１５から空気を取り込みながら拡開部１２の内部で空気が水にマイクロバブルの状態で混入したマイクロバブル混入水が効率よく生成されることになる。
【００１１】
マイクロバブル水の流出路１８は円筒状ハウジング２の軸心部に形成され、その流出路１８の流出口６は、ハウジング２の下端に取り付けられる散水板８の中心部に連通形成される。
【００１２】
ハウジング２内には、振動モーター７が収容され、該振動モーター７により発生した振動を散水板８の外周に突設した接触子９に伝達して該接触子９を振動させるようにしてある。なお、図３において符号１９はバッテリー、符号２０は振動モーター７のスイッチ、符号２１は制御基板である。図１において、符号２２はスイッチ２０を押圧する操作片で、スイッチ部２３は防水構造となっている。振動モーター７の制御は、例えば、振動モーター７の連続運転と間欠運転の切り替え、振動の強弱の切り替えなどが選択可能となっている。
【００１３】
なお、本実施例でのノズル型洗浄器１本体の寸法は、φ５０ｍｍ×２５０ｍｍ程度であるが、適宜変更可能である。
【００１４】
散水板８は円板状に形成され、外面の外周部には接触子９を所定のピッチで円状に多数突設してある。接触子７の形状としては、図４に示すように、短円錐状９ａ（同図（ａ１），（ａ２））、細い棒状９ｂ（同図（ｂ１），（ｂ２））、円錐状の先端部９ｃをゴム製としたもの（同図（ｃ１），（ｃ２））などがあり、所望により適宜選択される。
また、円板状散水板８の中心部に流出孔２４を形成したストレート流出口としたもの（図４（ａ１），（ｂ１），（ｃ１））、円板状散水板８の中心部に多数の小孔２５を形成したシャワー流出口としたもの（図４（ａ２），（ｂ２），（ｃ２））があり、これらの散水板８は交換可能となっている。
【００１５】
ノズル型洗浄器１の水流入口４にシャワーホース５の端部に取り付けた雌型又は雄型の継手２６に着脱自在に係合する雄型又は雌型の継手１３を取り付けてある（図５）。これにより、ワンタッチでシャワーホース５に取り付け取り外しが行える。
通常のシャワーヘッド２７の水流入口にも、ノズル型洗浄器１と同様、シャワーホース５の端部に取り付けた雌型又は雄型の継手２６に着脱自在に係合する雄型又は雌型の継手２８を取り付けてある。これにより、シャワーホース５に対する本考案によるノズル型洗浄器１と通常のシャワーヘッド２７との交換がワンタッチで行えることになる。なお、図５において、符号２９は混合水栓である。
【００１６】
次に、本考案によるノズル型洗浄器１の使用手順について説明する。先ず、シャワーホース５の端部の継手２６にノズル型洗浄器１の継手１３を接続する。混合水栓２９を操作してシャワーホース５に湯水を流す。シャワーホース５からノズル型洗浄器１に流入した湯水は、マイクロバブル水発生装置３によりマイクロバブルが混入された湯水となって流出路１８を流下し流出口６から外部に流出する。
このとき、振動モーター７のスイッチ２０を押すと、振動モーター７が作動し振動が散水板８の接触子９に伝達され該接触子９が振動する。これにより、接触子９に触れている肌（頭皮）がマッサージされることになる。振動モーター７の制御は、例えば、振動モーター７の連続運転と間欠運転の切り替え、振動の強弱の切り替えなどが選択可能となっており、所望により適宜選択して使用する。
こうして、マイクロバブルによる高い洗浄効果と、振動によるマッサージ効果が同時に得られることになる。例えば、接触子９を頭皮に当てて洗髪すれば、頭皮の毛根が洗浄されかつ頭皮のマッサージ効果による刺激により、毛髪の育毛の促進が期待されることになる。
【００１７】
ノズル型洗浄器１から通常のシャワーヘッド２７に切り替えるには、シャワーホース５の継手２６からノズル型洗浄器１の継手１３を取り外し、通常のシャワーヘッド２７の継手２８を取り付ければよい。
【符号の説明】
【００１８】
１  ノズル型洗浄器
２  ハウジング
３  マイクロバブル水発生装置
４  水流入口
５  シャワーホース
６  流出口
７  振動モーター
８  散水板
９  接触子
１０  ケーシング
１１  絞り流路
１２  拡開部
１３  継手
１４  負圧室
１５  空気流入路
１６  衝突壁
１７  流出孔
１８  流出路
１９  バッテリー
２０  スイッチ
２１  制御基板
２２  操作片
２３  スイッチ部
２４  流出孔
２５  小孔
２６  継手
２７  シャワーヘッド
２８  継手
２９  混合水栓
【図１】
0003207797.tif 000003
【図２】
0003207797.tif 000004
【図３】
0003207797.tif 000005
【図４】
0003207797.tif 000006
【図５】
0003207797.tif 000007